【事件の表示】
　特許第５７８９８８７号発明「ドットコードを用いたデータ入力／出力方法」の特許異議申立事件について、次のとおり決定する。
【結　論】
　特許第５７８９８８７号の特許請求の範囲を訂正請求書に添付された訂正特許請求の範囲のとおり、訂正後の請求項〔１、２、４〕、３、〔５、６、８、９〕、７について訂正することを認める。
　特許第５７８９８８７号の請求項１、２、４、５、６、８、９に係る特許を維持する。
　特許第５７８９８８７号の請求項３、７に係る特許異議の申立てを却下する。
【理　由】
１　手続の経緯
　本件特許第５７８９８８７号（以下、「本件特許」という。）の請求項１ないし請求項９に係る特許についての出願は、平成２４年３月２８日（パリ条約による優先権主張２０１２年１月２１日　中国、２０１２年１月２１日　中国）の出願である特願２０１２−７３８９１号の一部を平成２５年１１月１２日に新たな出願としたものであって、平成２７年８月１４日に特許権の設定登録（特許公報発行日　平成２７年１０月７日）がされた。
　これに対して、平成２８年４月６日に特許異議申立人の株式会社Ｉ・Ｐソリューションズにより請求項１ないし請求項９に対して特許異議の申立てがなされたものであり、その後の手続の経緯は、以下のとおりである。
平成２８年　４月　６日　特許異議の申立て（特許異議申立人）
平成２８年　６月１７日　取消理由通知（合議体）
平成２８年　９月２１日　意見書の提出及び訂正請求（特許権者）
平成２８年１１月２８日　意見書の提出（特許異議申立人）
平成２９年　１月１０日　取消理由＜決定の予告＞通知（合議体）
平成２９年　４月１３日　意見書の提出及び訂正請求（特許権者）
平成２９年　６月２９日　意見書の提出（特許異議申立人）
平成２９年　８月２４日　取消理由＜決定の予告＞通知（合議体）
平成２９年１１月２７日　意見書の提出及び訂正請求（特許権者）
２　訂正の適否
２．１　訂正請求の要旨
　平成２８年９月２１日付け、平成２９年４月１３日付けの訂正請求は、特許法第１２０条の５第７項の規定により、取り下げられたものとみなす。
　そして、平成２９年１１月２７日付けの訂正請求（以下、「本件訂正請求」という。）により特許権者が請求する訂正は、本件特許の特許請求の範囲を、本件訂正請求書に添付した特許請求の範囲のとおり、訂正後の請求項１〜９について請求項ごとに訂正することを求めるというものである。
２．２　訂正事項
２．２．１　一群の請求項１〜４に係る訂正
２．２．１．１　訂正事項１
　特許請求の範囲の請求項１に、
　「それぞれが、十字型に排列された複数のラベルエリアとそれぞれ１つの候補２進コードを表す複数のデータエリアとを備え、マトリックスに排列された複数のバーチャルブロックと、」とあるのを、
　「それぞれが、十字型に排列された複数のラベルエリア
を一部とする中央ラベル部
、
が
であるコーナービットエリア
、
であって、
　　前記マトリックスにおいて行方向又は列方向に連続する２つの前記バーチャルブロックにおいて、２つの前記コーナービットエリア間は隣接し、２つの前記中央ラベル部間は隣接しない、
　複数のバーチャルブロック
２．２．１．２　訂正事項２
　特許請求の範囲の請求項１に、
　「前記複数のラベルエリア及び前記複数のデータエリアのうちの１つにこれらのエリアを塗りつぶさないように設置されたビットドットと、を含み、前記」とあるのを、
　「
前記複数のバーチャルブロックのそれぞれごとに、
、
　
２．２．１．３　訂正事項３
　特許請求の範囲の請求項３を削除する。
２．２．２　一群の請求項５〜９に係る訂正
２．２．２．１　訂正事項４
　特許請求の範囲の請求項５に、
　「ドットコードを生成するエリアを定義し、
　前記エリアを複数のブロックに区分し、
　それぞれの前記ブロックを複数のビットエリアに区分し、
　前記ビットエリアの一部を選択してラベルエリアとし、その他部分のビットエリアをデータエリアとし、
　前記ラベルエリア及び前記データエリアのうちの一つにこれらのエリアを塗りつぶさないようにビットドットを設置し、
　前記データエリアに位置するビットドットが、前記各データエリアに対応する候補２進コードに基づいて、前記ブロックが表す２進コードを定義し、
　少なくとも２つの前記ビットドットが、それぞれ予め定められた位置の前記ブロックの前記ラベルエリアに位置して、パターンを固定するラベルを構成し、
　所定パターン排列に基づいて、前記ビットドットを有する前記ドットコードの生成エリアを重複的に排列したドットコード生成方法。」とあるのを、
　「ドットコードを生成するエリアを定義し、
　前記エリアを
、マトリックスに排列された
　それぞれの前記ブロックを複数のビットエリアに区分し、
　前記ビットエリアの一部を選択して
、十字型に排列された
を一部とする中央ラベル部
、
であるコーナービットエリア
　前記ラベルエリア及び前記データエリアのうちの一つにこれらのエリアを塗りつぶさないようにビットドットを設置し、
　前記データエリアに位置するビットドットが、前記各データエリアに対応する候補２進コードに基づいて、前記ブロックが表す２進コードを定義し、
　少なくとも２つの前記ビットドットが、それぞれ予め定められた位置の前記ブロックの前記ラベルエリアに位置して、パターンを固定するラベルを構成し、
　所定パターン排列に基づいて、前記ビットドットを有する前記ドットコードの生成エリアを重複的に排列したドットコード生成方法
において、
　前記マトリックスにおいて行方向又は列方向に連続する２つの前記ブロック間において、２つの前記コーナービットエリア間は隣接し、２つの前記中央ラベル間は隣接しない、ドットコード生成方法
２．２．２．２　訂正事項５
　特許請求の範囲の請求項７を削除する。
２．３　訂正の適否の判断
２．３．１　一群の請求項１〜４に係る訂正
２．３．１．１　一群の請求項について
　訂正事項１〜３に係る訂正前の請求項１〜４について、請求項２〜４は請求項１を引用しているものであって、訂正事項１、２によって記載が訂正される請求項１に連動して訂正されるものである。
　したがって、訂正前の請求項１〜４に対応する訂正後の請求項１〜４は、特許法第１２０条の５第４項に規定する一群の請求項である。
２．３．１．２　訂正の目的
２．３．１．２．１　訂正事項１
　訂正事項１は、訂正前の特許請求の範囲の請求項１の、「複数のラベルエリア」と「複数のデータエリア」とを備えた「複数のバーチャルブロック」という構成を、「複数のラベルエリアを一部とする中央ラベル部」と「複数のデータエリアであるコーナービットエリア」とを備えた「複数のバーチャルブロック」という構成に訂正して、複数のバーチャルブロックに備えられた複数のラベルエリアが中央ラベル部の一部であり、複数のデータエリアがコーナービットエリアであることに限定している。
　また、「前記マトリックスにおいて行方向又は列方向に連続する２つの前記バーチャルブロックにおいて、２つの前記コーナービットエリア間は隣接し、２つの前記中央ラベル部間は隣接しない」という構成を追加して、複数のバーチャルブロックにおけるコーナービットエリア間、中央ラベル部間の排列関係を限定している。
　したがって、訂正事項１は、特許法第１２０条の５第２項ただし書第１号に規定する特許請求の範囲の減縮を目的とするものである。
２．３．１．２．２　訂正事項２
　訂正事項２は、訂正前の特許請求の範囲の請求項１の「前記複数のラベルエリア及び前記複数のデータエリアのうちの１つにこれらのエリアを塗りつぶさないように設置されたビットドットと、を含み、」という構成を、「前記複数のバーチャルブロックのそれぞれごとに、前記複数のラベルエリア及び前記複数のデータエリアのうちの１つにこれらのエリアを塗りつぶさないように設置されたビットドットと、を含み、」という構成に訂正するものである。
　訂正前の特許請求の範囲の請求項１では、複数のバーチャルブロックが備える、「複数のラベルエリア」と「複数のデータエリア」のうちの「１つ」にビットドットを含むとしていることから、ビットドットを含まないバーチャルブロックを許容する記載となり、明細書又は図面の記載（各バーチャルブロックのラベルエリア又はデータエリアに必ずビットドットを含む構成）と整合しない場合のある不明確な記載となっていた。
　これに対し、訂正事項２により、「前記複数のバーチャルブロックのそれぞれごとに」ビットドットを含むと訂正したことにより、各バーチャルブロックにおける、「複数のラベルエリア及び複数のデータエリアのうち１つ」に必ずビットドットを含む構成であることが明瞭となったことから、訂正事項２は、特許法第１２０条の５第２項ただし書第３号に規定する明瞭でない記載の釈明を目的とするものである。
２．３．１．２．３　訂正事項３
　訂正事項３は、特許請求の範囲の請求項３を削除するものであるから、訂正事項３は、特許法第１２０条の５第２項ただし書第１号に規定する特許請求の範囲の減縮を目的とするものである。
２．３．１．３　願書に最初に添付した明細書、特許請求の範囲又は図面に記載した事項の範囲内の訂正であること
２．３．１．３．１　訂正事項１
　「十字型に排列された複数のラベルエリアを一部とする中央ラベル部」については、明細書の段落００５６の「また、図１４Ｃを参照すると、図１４Ｃは、図１４Ｂのバーチャルブロックの変形実施形態の概略図である。図に示すように、バーチャルブロックの中央ラベル部は、さらに複数のラベルエリアＣＬ-１〜ＣＬ-９に区分されるため、中央ラベル部に設置されるビットドットｄは、ラベルエリアＣＬ-１〜ＣＬ-９の中の１つに選択的に配置されてもよい。そのうち、ラベルエリアＣＬ-２、ＣＬ-４、ＣＬ-５、ＣＬ-６、ＣＬ-８は、十字形に排列され、ビットドットｄは、さらにラベルエリアＣＬ-２、ＣＬ-４、ＣＬ-５、ＣＬ-６、ＣＬ-８の中の１つに選択的に配置されてもよい。」との記載、及び、図１４Ｃに基づくものである。
　「それぞれが１つの候補２進コードを表す複数のデータエリアであるコーナービットエリア」については、明細書の段落００５１の「コーナービットエリアＣＢ-１〜ＣＢ-４は、それぞれ１つの候補２進コードを表し、図１４Ｂに示すように、コーナービットエリアＣＢ-１は、候補２進コード００を表し、コーナービットエリアＣＢ-２は、候補２進コード０１を表し、コーナービットエリアＣＢ-３は、候補２進コード１０を表し、コーナービットエリアＣＢ-４は、候補２進コード１１を表す。」との記載、及び、図１４Ｂに基づくものである。
　「前記マトリックスにおいて行方向又は列方向に連続する２つの前記バーチャルブロックにおいて、２つの前記コーナービットエリア間は隣接し、２つの前記中央ラベル部間は隣接しない」については、明細書の段落００５０の「図１４Ａに示したバーチャルブロック１４０Ａを例とすると、バーチャルブロック１４０Ａは、１つの中央ラベル部ＣＬと、４つのコーナービットエリアＣＢ-１〜ＣＢ-４に分割される。図からはっきり分かるように、コーナービットエリアＣＢ−１〜ＣＢ−４は、中央ラベル部ＣＬを取り囲んでいるため、ドットコード１４中の全ての中央ラベル部ＣＬは、互いに隣接しない。」との記載、及び、図１４Ａに示される連続する２つのバーチャルブロックの２つのコーナービットエリア間の関係、符号ＣＬ（中央ラベル部）の排列関係に基づくものである。
　したがって、訂正事項１は、願書に添付した明細書、特許請求の範囲または図面に記載した事項の範囲内の訂正であり、特許法第１２０条の５第９項で準用する特許法第１２６条第５項に適合するものである。
２．３．１．３．２　訂正事項２
　まず、明細書の段落０００７には、「ドットコードは、データ部と、ラベル部とを含み」と記載されている。
　そして、データ部に関し、段落０００８には、「各第１ブロックは、それぞれ第１ビットドットを有し、且つ各第１ビットドットは、第１ラベルエリア以外の中の１つの第１ビットエリア内に設置される。」と記載され、段落００３０には、「各第１ブロック１１０は、いずれも１つの第１ビットドットのみを有し、且つ第１ビットドットは、第１データエリアの４つの第１ビットエリア１１２ａ、１１２ｃ、１１２ｇ、１１２ｉの中の１つに設置されなければならない」と記載され、図５、図７のように図示されている。
　さらに、ラベル部に関し、段落０００９には、「各第２ブロックは、それぞれ第２ビットドットを有し、且つ各第２ビットドットは、第２ラベルエリア以内の中の１つの第２ビットエリア内に選択的に設置される。」と記載され、段落００３３には、「各第２ブロック２１０Ａ〜２１０Ｇは、いずれも１つの第２ビットドットのみを有し、本実施形態において、第２ブロック２１０Ａ〜２１０Ｇの第２ビットドットは、第２ラベルエリア２１４内のビットエリアに設置されなければならない。」と記載され、図５、図８のように図示されている。
　このように、本件特許の明細書には、データ部を構成する第１ブロック及びラベル部を構成する第２ブロックのそれぞれのバーチャルブロックごとに、複数のラベルエリア及び複数のデータエリアのうちの１つにビットドットを設置することが記載されている。
　そして、図１４Ａ〜図１４Ｃに係る変形実施例においても、上述の記載、図１４Ａ〜１４Ｃの記載及び段落００５３の記載から、バーチャルブロックがそれぞれごとにビットドットを含むことは明らかである。
　したがって、訂正事項２は、願書に添付した明細書、特許請求の範囲または図面に記載した事項の範囲内の訂正であり、特許法第１２０条の５第９項で準用する特許法第１２６条第５項に適合するものである。
２．３．１．３．３　訂正事項３
　訂正事項３は、訂正前の特許請求の範囲の請求項３を削除するものであるから、願書に添付した明細書、特許請求の範囲または図面に記載した事項の範囲内の訂正であり、特許法第１２０条の５第９項で準用する特許法第１２６条第５項に適合するものである。
２．３．１．４　実質上特許請求の範囲を拡張し、又は変更する訂正ではないこと
２．３．１．４．１　訂正事項１
　訂正事項１は、バーチャルブロックを限定的に減縮するものであり、発明のカテゴリーや発明の対象、目的を変更するものではないから、実質上特許請求の範囲を拡張し、又は変更するものには該当せず、特許法第１２０条の５第９項で準用する特許法第１２６条第６項に適合するものである。
　訂正事項１は、訂正前の請求項１の記載を引用する訂正前の請求項２〜４の記載についても実質的に訂正するものであるが、上記のように、訂正後の請求項１の記載は、訂正前の請求項１との関係で特許請求の範囲を実質的に拡張し、又は変更するものではない。また、訂正事項１は、訂正前の請求項１の記載以外に、訂正前の請求項２〜４の記載について何ら訂正するものではなく、訂正前の請求項２〜４に係る発明のカテゴリーや発明の対象、目的を変更するものではない。
　したがって、訂正事項１は、訂正前の請求項２〜４との関係で、実質上特許請求の範囲を拡張し、又は変更する訂正ではない。
２．３．１．４．２　訂正事項２
　訂正事項２は、請求項１における明細書又は図面の記載と整合しない場合のある不明確な記載を明細書又は図面の記載に整合させるものであり、発明のカテゴリーや発明の対象、目的を変更するものではないから、実質上特許請求の範囲を拡張し、又は変更するものには該当せず、特許法第１２０条の５第９項で準用する特許法第１２６条第６項に適合するものである。
　訂正事項２は、訂正前の請求項１の記載を引用する訂正前の請求項２〜４の記載についても実質的に訂正するものであるが、上記のように、訂正後の請求項１の記載は、訂正前の請求項１との関係で特許請求の範囲を実質的に拡張し、又は変更するものではない。また、訂正事項２は、訂正前の請求項１の記載以外に、訂正前の請求項２〜４の記載について何ら訂正するものではなく、訂正前の請求項２〜４に係る発明のカテゴリーや発明の対象、目的を変更するものではない。
　したがって、訂正事項２は、訂正前の請求項２〜４との関係で、実質上特許請求の範囲を拡張し、又は変更する訂正ではない。
２．３．１．４．３　訂正事項３
　訂正事項３は、請求項３を削除するというものであるから、実質上特許請求の範囲を拡張し、又は変更するものには該当せず、特許法第１２０条の５第９項で準用する特許法第１２６条第６項に適合するものである。
２．３．２　一群の請求項５〜９に係る訂正
２．３．２．１　一群の請求項について
　訂正事項４、５に係る訂正前の請求項５〜９について、請求項６〜９は請求項５を引用しているものであって、訂正事項４によって記載が訂正される請求項４に連動して訂正されるものである。
　したがって、訂正前の請求項５〜９に対応する訂正後の請求項５〜９は、特許法第１２０条の５第４項に規定する一群の請求項である。
２．３．２．２　訂正の目的
２．３．２．２．１　訂正事項４
　訂正事項４は、訂正前の特許請求の範囲の請求項５の、「複数のブロック」という構成を、「マトリックスに排列された複数のブロック」という構成に訂正し、複数の「ブロック」に関し、「マトリックスに排列された」複数のブロックであることに限定している。
　また、「ラベルエリア」、「データエリア」という構成を、「十字型に排列されたラベルエリアを一部とする中央ラベル部」、「データエリアであるコーナービットエリア」という構成に訂正し、「ラベルエリア」に関し、「十字型に排列され」、「中央ラベル部」の一部であることに限定し、「データエリア」に関し、コーナービットエリアであることに限定している。
　そして、「前記マトリックスにおいて行方向又は列方向に連続する２つの前記ブロックにおいて、２つの前記コーナービットエリア間は隣接し、２つの前記中央ラベル部間は隣接しない」という構成を追加して、複数のバーチャルブロックにおけるコーナービットエリア間、中央ラベル部間の排列関係を限定している。
　したがって、訂正事項４は、特許法第１２０条の５第２項ただし書第１号に規定する特許請求の範囲の減縮を目的とするものである。
２．３．２．２．２　訂正事項５
　訂正事項５は、特許請求の範囲の請求項７を削除するものであるから、訂正事項５は、特許法第１２０条の５第２項ただし書第１号に規定する特許請求の範囲の減縮を目的とするものである。
２．３．２．３　願書に最初に添付した明細書、特許請求の範囲又は図面に記載した事項の範囲内の訂正であること
２．３．２．３．１　訂正事項４
　「マトリックスに排列された複数のブロック」の記載については、明細書の段落００２６の「・・・これらのブロックは、マトリックス（Ｍａｔｒｉｘ）に排列され、」との記載に基づくものである。
　「十字型に排列されたラベルエリアを一部とする中央ラベル部」については、明細書の段落００５６の「また、図１４Ｃを参照すると、図１４Ｃは、図１４Ｂのバーチャルブロックの変形実施形態の概略図である。図に示すように、バーチャルブロックの中央ラベル部は、さらに複数のラベルエリアＣＬ-１〜ＣＬ-９に区分されるため、中央ラベル部に設置されるビットドットｄは、ラベルエリアＣＬ-１〜ＣＬ-９の中の１つに選択的に配置されてもよい。そのうち、ラベルエリアＣＬ-２、ＣＬ-４、ＣＬ-５、ＣＬ-６、ＣＬ-８は、十字形に排列され、ビットドットｄは、さらにラベルエリアＣＬ-２、ＣＬ-４、ＣＬ-５、ＣＬ-６、ＣＬ-８の中の１つに選択的に配置されてもよい。」との記載、及び、図１４Ｃに基づくものである。
　「その他の部分のビットエリアを、データエリアであるコーナービットエリア」については、明細書の段落００５０の「図１４Ａに示したバーチャルブロック１４０Ａを例とすると、バーチャルブロック１４０Ａは、１つの中央ラベル部ＣＬと、４つのコーナービットエリアＣＢ-１〜ＣＢ-４に分割される。」との記載、及び、図１４Ａの中央ラベル部以外のビットエリア（その他の部分のビットエリア）はコーナービットエリアであることに基づくものである。
　「前記マトリックスにおいて、行方向又は列方向に連続する２つの前記ブロックにおいて、２つの前記コーナービットエリア間は隣接し、２つの前記中央ラベル部間隣接しない」については、明細書の段落００５０の「図からはっきり分かるように、コーナービットエリアＣＢ−１〜ＣＢ−４は、中央ラベル部ＣＬを取り囲んでいるため、ドットコード１４中の全ての中央ラベル部ＣＬは、互いに隣接しない。」との記載、及び、図１４Ａに示される連続する２つのバーチャルブロックの２つのコーナービットエリア間の関係、符号ＣＬ（中央ラベル部）の排列関係に基づくものである。
　したがって、訂正事項４は、願書に添付した明細書、特許請求の範囲または図面に記載した事項の範囲内の訂正であり、特許法第１２０条の５第９項で準用する特許法第１２６条第５項に適合するものである。
２．３．２．３．２　訂正事項５
　訂正事項５は、訂正前の特許請求の範囲の請求項７を削除するものであるから、願書に添付した明細書、特許請求の範囲または図面に記載した事項の範囲内の訂正であり、特許法第１２０条の５第９項で準用する特許法第１２６条第５項に適合するものである。
２．３．２．４　実質上特許請求の範囲を拡張し、又は変更する訂正ではないこと
２．３．２．４．１　訂正事項４
　訂正事項４は、ブロックを限定的に減縮するものであり、発明のカテゴリーや発明の対象、目的を変更するものではないから、実質上特許請求の範囲を拡張し、又は変更するものには該当せず、特許法第１２０条の５第９項で準用する特許法第１２６条第６項に適合するものである。
　訂正事項４は、訂正前の請求項５の記載を引用する訂正前の請求項６〜９の記載についても実質的に訂正するものであるが、上記のように、訂正後の請求項５の記載は、訂正前の請求項５との関係で特許請求の範囲を実質的に拡張し、又は変更するものではない。また、訂正事項４は、訂正前の請求項５の記載以外に、訂正前の請求項６〜９の記載について何ら訂正するものではなく、訂正前の請求項６〜９に係る発明のカテゴリーや発明の対象、目的を変更するものではない。
　したがって、訂正事項４は、訂正前の請求項６〜９との関係で、実質上特許請求の範囲を拡張し、又は変更する訂正ではない。
２．３．２．４．２　訂正事項５
　訂正事項５は、請求項７を削除するというものであるから、実質上特許請求の範囲を拡張し、又は変更するものには該当せず、特許法第１２０条の５第９項で準用する特許法第１２６条第６項に適合するものである。
２．４　むすび
　以上のとおり、本件訂正請求は、特許法第１２０条の５第２項ただし書第１号又は第３号に掲げる事項を目的としており、かつ、同条第４項及び同条第９項で準用する同法第１２６条第５項から第６項までの規定に適合している。
　また、特許権者から、訂正後の請求項３についての訂正が認められるときは請求項１とは別途訂正することの求め、及び、訂正後の請求項７についての訂正が認められるときは請求項５とは別途訂正することの求めがあったことから、訂正後の請求項３及び請求項７については請求項ごとに訂正することを認める。
　したがって、訂正後の請求項〔１、２、４〕、３、〔５、６、８、９〕、７についての訂正を認める。 
３　特許異議の申立てについて
３．１　本件訂正発明
　本件訂正請求により訂正された本件特許請求の範囲の請求項１〜請求項９に係る発明（以下、項番にしたがい「本件訂正発明１」〜「本件訂正発明９」という。）は、本件訂正請求書に添付した特許請求の範囲に記載された次のとおりのものである。
　なお、説明のために、本件訂正発明１、５については、（１Ａ−１）ないし（１Ｅ）、（５Ａ−１）ないし（５Ｇ）の記号を当審において付与した。以下、構成１Ａ−１、構成１Ｂ等と称することにする。
【請求項１】
（１Ａ−１）それぞれが、十字型に排列された複数のラベルエリアを一部とする中央ラベル部と、それぞれが１つの候補２進コードを表す複数のデータエリアであるコーナービットエリアと、を備え、マトリックスに排列された複数のバーチャルブロックであって、
（１Ａ−２）前記マトリックスにおいて行方向又は列方向に連続する２つの前記バーチャルブロックにおいて、２つの前記コーナービットエリア間は隣接し、２つの前記中央ラベル部間は隣接しない、
　複数のバーチャルブロックと、
（１Ｂ）前記複数のバーチャルブロックのそれぞれごとに、前記複数のラベルエリア及び前記複数のデータエリアのうちの１つにこれらのエリアを塗りつぶさないように設置されたビットドットと、を含み、
（１Ｃ）前記データエリアに設置された前記ビットドットが、前記各データエリアに対応する前記候補２進コードに基づいて、前記各バーチャルブロックが表す２進コードを定義し、
（１Ｄ）少なくとも２つの前記ビットドットが、それぞれ予め定められた位置の前記バーチャルブロックの前記ラベルエリアに位置して、パターンを固定するラベルを構成するために用いられる
（１Ｅ）インジケータデータであるドットコード。
【請求項２】
　前記ラベルが、Ｌ型となる請求項１記載のインジケータデータであるドットコード。
【請求項３】　（削除）
【請求項４】
　前記ラベルにより、前記各バーチャルブロックが表す前記２進コードの排列の順序を決定する請求項１記載のインジケータデータであるドットコード。
【請求項５】
（５Ａ−１）ドットコードを生成するエリアを定義し、
（５Ａ−２）前記エリアを、マトリックスに排列された複数のブロックに区分し、
（５Ａ−３）それぞれの前記ブロックを複数のビットエリアに区分し、
（５Ａ−４）前記ビットエリアの一部を選択して、十字型に排列されたラベルエリアを一部とする中央ラベル部とし、その他部分のビットエリアを、データエリアであるコーナービットエリアとし、
（５Ｂ）前記ラベルエリア及び前記データエリアのうちの一つにこれらのエリアを塗りつぶさないようにビットドットを設置し、
（５Ｃ）前記データエリアに位置するビットドットが、前記各データエリアに対応する候補２進コードに基づいて、前記ブロックが表す２進コードを定義し、
（５Ｄ）少なくとも２つの前記ビットドットが、それぞれ予め定められた位置の前記ブロックの前記ラベルエリアに位置して、パターンを固定するラベルを構成し、
（５Ｅ）所定パターン排列に基づいて、前記ビットドットを有する前記ドットコードの生成エリアを重複的に排列したドットコード生成方法において、
（５Ｆ）前記マトリックスにおいて行方向又は列方向に連続する２つの前記ブロックにおいて、２つの前記コーナービットエリア間は隣接し、２つの前記中央ラベル部間は隣接しない、
（５Ｇ）ドットコード生成方法。
【請求項６】
　前記ラベルが、Ｌ型となる請求項５記載のドットコード生成方法。
【請求項７】　（削除）
【請求項８】
　前記ラベルにより、前記各ブロックが表す前記２進コードの排列の順序を決定する請求項５記載のドットコード生成方法。
【請求項９】
　前記所定パターン排列がマトリックスである請求項５記載のドットコード生成方法。
３．２　取消理由の概要
３．２．１　平成２８年６月１７日付けで特許権者に通知した取消理由の要旨
　訂正前の請求項１〜９に係る特許発明に対して平成２８年６月１７日付けで特許権者に通知した取消理由の要旨は、次のとおりである。
（１）請求項３、７に係る特許発明は、特許請求の範囲の記載が特許法第３６条第６項第１号に規定する要件を満たしていない。
（２）請求項１〜４に係る特許発明は、特許請求の範囲の記載が特許法第３６条第６項第２号に規定する要件を満たしていない。
（３）請求項１〜９に係る特許発明は、甲第４号証（特開２０１０−２０６４３３号公報）、甲第５号証（特開２００７−２８８７５６号公報）、甲第６号証（特開２００４−１６６１７７号公報）、甲第７号証（国際公開第２００４／０８４１２５号）、甲第８号証（特開平１０−２６１０５８号公報）、甲第９号証（特開平１０−２５７３０９号公報）、甲第１０号証（ワークスコーポレーション　エデュケーション編集部、「ＤＴＰ＆印刷しくみ事典」、初版、株式会社ワークスコーポレーション、２００５年９月７日発行、１６９頁）、甲第１１号証（富士写真フイルム株式会社　印刷システム部、「誰でもわかる「新・印刷のできるまで」」、第２版、印刷学会出版部、２０００年１１月１０日発行、１３６頁）の刊行物に記載の発明に基づいて当業者が容易に発明をすることができたものである。
３．２．２　平成２９年１月１０日付けで特許権者に通知した取消理由＜決定の予告＞の要旨
　平成２８年９月２１日付けで訂正された請求項１〜９に係る特許発明に対して平成２９年１月１０日付けで特許権者に通知した取消理由の要旨は、次のとおりである。
（１）請求項１、２、４、５、６、８、９に係る特許発明は、甲第４号証ないし甲第７号証（各甲号証の刊行物名については、上記３．２．１（３）を参照のこと。）の刊行物に記載の発明に基づいて当業者が容易に発明をすることができたものである。
３．２．３　平成２９年８月２４日付けで特許権者に通知した取消理由＜決定の予告＞の要旨
　平成２９年４月１３日付けで訂正された請求項１〜９に係る特許発明に対して平成２９年８月２４日付けで特許権者に通知した取消理由の要旨は、次のとおりである。
（１）請求項１、２、４、５、６、８、９に係る特許発明は、甲第４号証ないし甲第７号証（各甲号証の刊行物名については、上記３．２．１（３）を参照のこと。）の刊行物に記載の発明に基づいて当業者が容易に発明をすることができたものである。
（２）請求項５、６、８、９に係る特許発明は、特許請求の範囲の記載が特許法第３６条第６項第２号に規定する要件を満たしていない。
　
３．３　異議申立人が、進歩性欠如に基づく無効理由の証拠として提示した甲第４号証〜甲第１１号証について
３．３．１　甲第４号証
３．３．１．１　甲第４号証に記載された事項
　甲第４号証（特開２０１０−２０６４３３号公報）には、「情報埋込装置、情報認識装置、情報埋込方法、情報認識方法、情報埋込プログラム、情報認識プログラム及び情報埋込印刷媒体」（発明の名称）に関し、図面とともに以下の事項が記載されている。なお、説明のために、下線を当審において付与した。 
  
【００１２】
  前記課題を解決するために、請求項１に係る発明は、埋め込み媒体となる画像情報を入力する画像情報取得手段と、前記画像に埋め込む付加情報を、印刷スクリーンの特性を併せ持つパターン認識可能な幾何学的又は物理的な情報埋め込みコードとしたスクリーンコードの画像パターン群に変換するスクリーンコード変換手段と、
前記画像パターン群によって地紋画像情報を構成する地紋画像情報構成手段と、
【００４７】 
「情報埋め込みオーバレイ方式」とは、スクリーンコードをマトリクス配置することによって、地紋を構成し、また、構成された地紋を印刷画像情報と重ねることによって、該当領域の中に付加情報を埋め込むことである。
【００６７】
地紋画像情報構成ステップとは、前記画像パターン群によって地紋画像情報を構成する。ここで、印刷画像情報に対して、該当領域の中で画像パターン群を順番に並べ、地紋画像情報を構成する、
【００７４】 
　図３にスクリーンコードの網点ドット数を１とするスクリーンコードを示す。
図３において、３０１を情報ドットとし、３０２を網点ドットを１とする４進制のマルチビットのスクリーンコードとし、３０３を情報ドット３０１の配置可能な領域とする。情報ドット３０１が幾何学的な異なる位置の配置或いは配置可能な領域３０３の中心に対して網点ドットの異なる角度の配置によって情報を記述すること、また、異なる形状によって情報を記述することを考えている。 
例えば、図３において、（ａ）のドットパターンをマルチビット値０、（ｂ）のドットパターンをマルチビット値１、（ｃ）のドットパターンをマルチビット値２、（ｄ）のドットパターンをマルチビット値３とし、（ｅ）のドットパターンを、位置情報行を構成するドットパターンとし、ｆのドットパターンを、位置情報列を構成するドットパターンとする。 
情報記述効率の定義により、図３のようなスクリーンコードの情報記述効率が２を算出することができる。 
  
【００８２】 
図３の例を参考して、配置可能な領域３０３を拡大し、情報ドット３０１のいろいろな異なる位置、角度、位相変調や搬送方向などの配置によって、１６進制又は３２進制以上のマルチビットのスクリーンコードを構成することも可能である。 
【００８３】 
　図５はスクリーンコードの画像パターン群形式を示す。 
図５において、図３に示された網点ドット数を１とする４進制のマルチビットのスクリーンコードを、スクリーンの特性に基づいて複数のスクリーンコードを画像パターン群として、マトリクス配置することによって地紋を構成するスクリーンコード網点の配置の例を示している。５０１を情報ドットとし、５０２を網点ドット数１のスクリーンコードとし、５０３を情報ドット５０１の配置可能な位置とする。 
【００８４】 
　図５に示すように、画像パターン群の中で、Ｓ１１、Ｓ１２、Ｓ１３、Ｓ１４、Ｓ１５及びＳ１６をメイン垂直基準ドット行とし、Ｓ２１、Ｓ３１、Ｓ４１、Ｓ５１及びＳ６１をメイン水平基準ドット列とし、Ｓ４２、Ｓ４３、Ｓ４５及びＳ４６をサブ垂直基準ドット行とし、Ｓ２４、Ｓ３４、Ｓ４４、Ｓ５４及びＳ６４をサブ水平基準ドット列とする。 
　ここで、メイン垂直基準ドット行Ｓ１１、Ｓ１２、Ｓ１３、Ｓ１４、Ｓ１５及びＳ１６がサブ垂直基準ドット行Ｓ４２、Ｓ４３、Ｓ４５及びＳ４６と比べると、Ｓ１１の網点ドットが真ん中に配置している、Ｓ４１の網点ドットが網点の一番右に配置している、Ｓ１４の網点ドットが真ん中に配置している、Ｓ４４の網点ドットが網点の一番左に配置している。また、メイン水平基準ドット列Ｓ２１、Ｓ３１、Ｓ４１、Ｓ５１及びＳ６１がサブ水平基準ドット列Ｓ２４、Ｓ３４、Ｓ４４、Ｓ５４及びＳ６４と比べると、メイン水平基準ドット列Ｓ２１、Ｓ３１、Ｓ５１及びＳ６１が網点の一番左に配置している、サブ水平基準ドット列Ｓ２４及びＳ３４の網点ドットが真ん中に配置している、Ｓ５４及びＳ６４の網点ドットが一番右に配置している。上記のメイン垂直基準ドット行がサブ垂直基準ドット行との異なること、メイン水平基準ドット列がサブ水平基準ドット列との異なることによって、画像パターン群の方向情報として認識することができる。 
　Ｓ２２、Ｓ２３、Ｓ２５、Ｓ２６、Ｓ３２、Ｓ３３、Ｓ３５、Ｓ３６、Ｓ５２、Ｓ５３、Ｓ５５、Ｓ５６、Ｓ６２、Ｓ６３、Ｓ６５及びＳ６６をそれぞれ２ビットの情報を表わすスクリーンコードとする、この１６個スクリーンコードを用いて、３２ビット情報を記述することができる。 
  
【００９４】 
　網点ドットの位相変調によって情報記述する特徴を利用して、スクリーンコードのコード値を認識する場合に、図６に示されるように新しい画像パターン群を構成することができる。
図６において、画像パターン群の中で、Ｓ
１１
、Ｓ
１２
、Ｓ
１３
、Ｓ
１４
及びＳ
１５
を垂直基準ドット行とし、Ｓ
２１
、Ｓ
３１
、Ｓ
４１
及びＳ
５１
を水平基準ドット列とする。 
　Ｓ
２２
、Ｓ
２３
、Ｓ
２４
、Ｓ
２５
、Ｓ
３２
、Ｓ
３３
、Ｓ
３４
、Ｓ
３５
、Ｓ
４２
、Ｓ
４３
、Ｓ
４４
、Ｓ
４５
、Ｓ
５２
、Ｓ
５３
、Ｓ
５４
及びＳ
５５
を、図４に示した画像パターン群と同じように、それぞれ２ビットの情報を表わすスクリーンコードとする、この１６個スクリーンコードを用いて、３２ビット情報を記述することができる。
　ここで、水平基準ドット列が垂直基準ドット行と区別するために、Ｓ４１及びＳ５１の配置基準ドットを右側の配置とする。 
　また、網点ドットの位相変調によって情報記述する特徴を利用したので、
１つの水平基準ドット列と１つの垂直基準ドット行を使って各スクリーンコードのコード値を認識することが可能
３．３．１．２．　甲第４号証に記載された発明
　上記甲第４号証の記載事項及び関連する図面並びにこの分野における技術常識を考慮して甲第４号証に記載された発明を認定する。 
  
（１）段落００９４及び図６には、複数のスクリーンコードが５行５列に配置された画像パターン群について記載されている。ここで、段落００４７に記載されるように、画像パターン群は、複数のスクリーンコードを用いて記述した付加情報を埋め込むことのできるものである。 
  
（２）段落００７４、００８２〜００８４及び図３の記載によれば、各スクリーンコードは、網点ドットが配置可能な３×３の領域及び網点ドットが配置可能な３×３の領域を囲む網点ドットが配置されない領域を備えている。
  
（３）段落００９４及び図６において示される、５行５列のスクリーンコードのうち、垂直基準ドット行にあるスクリーンコード（１行目にある５つの横に並んだスクリーンコードＳ１１、Ｓ１２、Ｓ１３、Ｓ１４及びＳ１５）、及び、水平基準ドット列にあるスクリーンコード（１列目にある４つの縦に並んだスクリーンコードＳ２１、Ｓ３１、Ｓ４１及びＳ５１）では、網点ドットが配置可能な３×３の領域の中央行の一字型の位置のいずれかに、網点ドットが配置されている。 
　そして、段落００９４には、「１つの水平基準ドット列と１つの垂直基準ドット行を使って各スクリーンコードのコード値を認識することが可能」であると記載されているから、垂直基準ドット行と水平基準ドット列の複数のスクリーンコードは、それらの網点ドットにより、垂直基準ドット行及び水平基準ドット列以外にある各スクリーンコード（Ｓ２２、Ｓ２３、Ｓ２４、Ｓ２５、Ｓ３２、Ｓ３３、Ｓ３４、Ｓ３５、Ｓ４２、Ｓ４３、Ｓ４４、Ｓ４５、Ｓ５２、Ｓ５３、Ｓ５４及びＳ５５）のコード値、すなわち、２ビットの情報を認識するために用いられている。 
  
（４）図６においては、上記５行５列のスクリーンコードのうち、垂直基準ドット行及び水平基準ドット列以外にあるスクリーンコードでは、網点ドットが配置可能な領域の四隅の位置のいずれかに、網点ドットが配置されている。 
　そして、段落００７４及び図３の記載から、各スクリーンコードは、網点ドットが前記四隅の位置に応じた２ビットの情報を表している。さらに、段落００９４には、垂直基準ドット行及び水平基準ドット列以外にある４行４列の１６個のスクリーンコードを用いて３２ビットの情報が記述されることが記載されている。すなわち、複数のスクリーンコードが５行５列配置されて構成される画像パターン群は、３２ビットの情報を記述するものである。
（５）また、上記５行５列のスクリーンコードは、図６に示されるように、水平方向又は垂直方向に連続し、隣り合うスクリーンコードの前記網点ドットが配置可能な領域の四隅の位置と中央行の一字型の位置は、スクリーンコードに網点ドットが配置可能な３×３の領域を囲む網点ドットが配置されない領域があるために、隣接していない。
　以上より、甲第４号証には、次の発明（以下、「甲４発明１」という。）が記載されていると認められる。なお、説明のために（１ａ−１）ないし（１ｅ）の記号を当審において付与した。以下、構成１ａ−１、構成１ｂ等と称することにする。 
  
（甲４発明１） 
（１ａ−１）それぞれが、網点ドットが配置可能な３×３の領域と、網点ドットが配置可能な３×３の領域を囲む網点ドットが配置されない領域を備え、垂直基準ドット行または水平基準ドット列にある場合に網点ドットが配置される複数の位置であって、網点ドットが配置可能な３×３の領域の中央行の一字型の位置と、垂直基準ドット行及び水平基準ドット列以外にある場合に網点ドットが配置される複数の位置であって、網点ドットが配置可能な３×３の領域の四隅の位置と、を備え、５行５列に配置された複数のスクリーンコードであって、 
（１ａ−２）５行５列において水平方向又は垂直方向に連続する２つのスクリーンコードにおいて、網点ドットが配置可能な３×３の領域を囲む網点ドットが配置されない領域があるために、２つの四隅の位置間、２つの中央行の一字型の位置間は隣接しない、複数のスクリーンコードと、 
（１ｂ）複数のスクリーンコードのそれぞれごとに、中央行の一字型の位置及び四隅の位置のうちの１つに配置された網点ドットと、を含み、 
（１ｃ）スクリーンコードが垂直基準ドット行及び水平基準ドット列以外にある場合の四隅の位置のいずれかに配置された網点ドットが、四隅の位置に応じた２ビットの情報に基づいて、各スクリーンコードが表す２ビットの情報を表し、 
（１ｄ）スクリーンコードが垂直基準ドット行または水平基準ドット列にある場合の中央行の一字型の位置のいずれかに配置された網点ドットが、垂直基準ドット行及び水平基準ドット列以外にある各スクリーンコードの２ビットの情報を認識するために用いられる、 
（１ｅ）３２ビットの情報を記述する画像パターン群。
　さらに、上記（１）〜（５）に加えて、以下の記載事項がある。
（６）段落００１２には、画像パターン群によって地紋画像情報を構成することが記載されており、段落００６７には、画像パターン群を順番に並べ、地紋画像情報を構成することが記載されている。 
  
　したがって、甲第４号証には、次の方法発明（以下、「甲４発明５」という。）が記載されていると認められる。なお、説明のために（５ａ−１）ないし（５ｇ）の記号を当審において付与した。以下、構成５ａ−１、構成５ｂ等と称することにする。 
  
（甲４発明５） 
（５ａ−１）画像パターン群を５行５列の複数のスクリーンコードから構成し、 
（５ａ−２）それぞれのスクリーンコードが、網点ドットが配置可能な３×３の領域と、網点ドットが配置可能な３×３の領域を囲む網点ドットが配置されない領域を備え、 
（５ａ−３）網点ドットが配置可能な３×３の領域の中央行の一字型の位置を、スクリーンコードが垂直基準ドット行または水平基準ドット列にある場合に網点ドットが配置される複数の位置とし、網点ドットが配置可能な３×３の領域の四隅の位置を、スクリーンコードが垂直基準ドット行及び水平基準ドット列以外にある場合に網点ドットが配置される複数の位置とし、 
（５ｂ）中央行の一字型の位置及び四隅の位置のうちの１つに網点ドットを配置し、 
（５ｃ）スクリーンコードが垂直基準ドット行及び水平基準ドット列以外にある場合の四隅の位置のいずれかに配置される網点ドットが、四隅の位置に応じた２ビットの情報に基づいて、スクリーンコードが表す２ビットの情報を表し、 
（５ｄ）スクリーンコードが垂直基準ドット行または水平基準ドット列にある場合の中央行の一字型の位置のいずれかに配置される網点ドットが、垂直基準ドット行及び水平基準ドット列以外にある各スクリーンコードの２ビットの情報を認識するために用いられ、 
（５ｅ）画像パターン群を順番に並べ地紋画像情報を構成した画像パターン群の生成方法において、
（５ｆ）５行５列において水平方向又は垂直方向に連続する２つのスクリーンコードにおいて、網点ドットが配置可能な３×３の領域を囲む網点ドットが配置されない領域があるために、２つの四隅の位置間、２つの中央行の一字型の位置間は隣接しない、 
（５ｇ）画像パターン群の生成方法。
３．３．２　甲第５号証
３．３．２．１　甲第５号証に記載された事項 
　甲第５号証（特開２００７−２８８７５６号公報）には、「画像インジケーター」（発明の名称）に関し、図面とともに以下の事項が記載されている。なお、説明のために、下線を当審において付与した。 
  
【００１２】 
　図４は本発明に基づく実施例で設計された、多くの画像インジケーター１０が配列し形成する図案を表示し、図５はその中の画像インジケーター１０の拡大図で、はっきりと本発明の設計を説明するものである。
図５に示すように、画像インジケーター１０はコンテンツデータ部（ｃｏｎｔｅｎｔｐａｒｔ）１２及びヘッダー部（ｈｅａｄｅｒｐａｒｔ）１４を含む。本実施例によると、コンテンツデータ部１２は９個のドット１６で構成される９個の画像マイクロユニットを含み
詳しく言うと、図６に示すように、１つの状態エリア１８は４個のバーチャルエリアに等分することができ、ドット１６は選択的に右下方、左下方、左上方或いは右上方のバーチャルエリアに設置でき、それぞれ４個の異なるビット値００、０１、１０或いは１１で表すことができる。こうして、図５のコンテンツデータ部１２が示すドット１６の配置関係は、図７に示すビットアレイに対応させることができる。コンテンツデータ部１２が９個のドット１６を有し、且つそれぞれ９個の状態エリア中に置く時、各状態エリア１８が４個のバーチャルエリアに等分されているため、各ドット１６を選択的に４個のバーチャルエリア中の１つに設置する場合、そのコンテンツデータ部１２に４９（＝２６２１４４）種の状態の組み合わせを持たせることができる。そこで、図５に示す画像インジケーター１０の設計を利用すると、マッピングするインジケーターデータ中の２６２１４４個の異なる数値を表示することができる。
【００１３】 
　もう一方では、画像インジケーター１０が１グループの画像マイクロユニットから構成されているため、ヘッダー部１４を設置して２つの隣り合う画像インジケーター１０を区分する必要がある。図８に示すように、４個の画像インジケーター１０は全て同じコンテンツデータ部１２を持ち、また同じインジケーターのデータ内容を有する。そのため、４個の画像インジケーター１０には全て同じ特定のヘッダー部１４を設置し、こうすることで、その特定のヘッダー部１４を探し出すだけで、同じ画像インジケーター１０が探し出せ、近隣の他の画像インジケーター１０における干渉を受けない。ヘッダー部１４は同様に例えばドット１６から構成される多くの画像マイクロユニットを含み、且つそのヘッダー部１４の占有エリアが多くの状態エリア１８に区分されている。さらに図５を参照する。本実施例に基づく設計では、
ヘッダー部１４の各状態エリア１８は全て状態エリア１８の中心位置に設置される１つのドットを含み、そのためヘッダー部１４は７個のドットを持つ。
図５に示すように、ヘッダー部１４のドットの配列位置は全て状態エリアの中心位置に予設され、画像インジケーターがヘッダー部１４を識別する過程をさらに速くさせることができる。但し、ヘッダー部１４中の１つのドット１６'の位置は特定方向に偏移させ、その他のドット１６の位置と変える必要がある。
まず画像インジケーター１０のヘッダー部１４を識別するだけで、その画像インジケーター１０に対する方向付けができ、コンテンツデータ部１２の状態組み合わせを正確にキャプチャすることができる。
【００１４】 
　さらに、ヘッダー部１４中のドット１６の配置位置を変更することで、互いに異なるヘッダー部１４を発生させることができる。このため、各画像インジケーター１０がコンテンツデータ部１２の状態組み合わせを調整し、異なる数値をマッピングすると、２つの異なる数値の画像インジケーター１０をそれぞれマッピングして、相異なるヘッダー部１４によって両者を区別することができる。
図９に示すように、２つのドット１６の配置位置が異なる相異なるヘッダー部１４ａ及び１４ｂを、上下に隣り合い異なるコンテンツを持つデータ部１２ａ及び１２ｂの区別に用いることができる。
３．３．２．２．　甲第５号証に記載された技術 
（１）甲第５号証には、段落００１２〜００１３に記載されるように、複数の状態エリアで構成されるヘッダー部と、複数の状態エリアで構成されるコンテンツデータ部からなる画像インジケーターについて記載されている。画像インジケーターは図５に記載されるように状態エリアが４＊４マトリックスに配列されて構成されている。ここで、画像インジケーターは、複数の状態エリアによるデータがマッピングされるものである。
（２）段落００１２及び図５に記載されるように、コンテンツデータ部を構成する各状態エリアに１つずつのドット（図５より丸いスポットの形状）が設置されている。ドットの位置は、図６に記載されるように状態エリアを４つに等分するバーチャルエリアのうち一位置であり、４つのバーチャルエリアのいずれの位置にあるかに応じて２ビットのビット値（００、０１、１０、１１）を表わしている。そして、コンテンツデータ部の９つの状態エリアの状態に組み合わせによりデータが表わされている。 
  
（３）段落００１３及び図５には、ヘッダー部を構成する各状態エリアに１つずつのドット（図５より丸いスポットの形状）が設置されている。段落００１３には、ドットの位置が、状態エリアの中心位置あるいは特定方向に偏移された位置であると記載されており、図５では、中心位置と中心の右位置となっている。ここで、段落００１４、図９、図１０に示される画像インジケーターのヘッダー部の状態エリアでは、中心位置に加え、中心の上位置及び下位置（図９）や中心の左位置及び右位置にドットが設置されている。すなわち、ヘッダー部を構成する状態エリアでは、中心あるいは中心の上下左右のうちのいずれかにドットを設置することが記載されている。 
　また、段落００１３には、「・・・画像インジケーター１０のヘッダー部１４を識別するだけで、その画像インジケーター１０に対する方向付けができ、コンテンツデータ部１２の状態組み合わせを正確にキャプチャすることができる。」と記載され、ヘッダー部を構成する複数の状態エリアの各ドットは、コンテンツデータ部の状態組み合わせ、すなわちデータを正確にキャプチャするために用いられるものであるといえる。 
　以上より、甲第５号証には、次の技術（以下、「甲５技術」という。）が記載されていると認められる。 
  
（甲５技術） 
　４＊４マトリックスに配列された複数の状態エリアと、 
　ヘッダー部を構成する状態エリアでは、中心あるいは中心の上下左右のうちのいずれかに設置され、コンテンツデータ部を構成する状態エリアでは、状態エリアを４つに等分するバーチャルエリアのいずれかに設置される、丸いスポットの形状のドットと、を含み、 
　前記コンテンツデータ部の状態エリアのドットが、４つのバーチャルエリアのいずれの位置にあるかに応じて２ビットのビット値を表し、 
　ヘッダー部を構成する複数の状態エリアの各ドットが、コンテンツデータ部のデータを正確にキャプチャするために用いられる、 
　画像インジケーター。 
  
 ３．３．３．　甲第６号証 
 ３．３．３．１．　甲第６号証に記載された事項 
　甲第６号証（特開２００４−１６６１７７号公報）には、「標識を生成するための方法及び該標識を利用する処理装置とシステム」（発明の名称）に関し、図面とともに以下の事項が記載されている。なお、説明のために、下線を当審において付与した。 
  
【０００６】 
【課題を解決するための手段】 
本発明の１つの側面は、図形標識を生成するための方法を提供することである。不可視な図形標識がオブジェクトの表面に幾つか書き添えられるもしくは付される。
これらの図形標識は、オブジェクトの表面上でテキストや図等の主要情報と共存し、その主要情報に対する人間の目の知覚を妨げることがない。ユーザは、オブジェクトと連動しない電子システムを通して図形標識を取り出し、その図形標識から追加情報を取得する。
  
【００７９】 
実際の用途では、
図形微細単位は、丸いスポット等の規則正しい形
【００８０】 
図形微細単位が微小であり、また、レイアウトで疎に配置される場合、ユーザは、図形微細単位の組み合わせ１００を簡単に無視して、図１に示す“ＡＰＰＬＥ”という言葉のような主要情報に注意を払うことができる。次に、情報を担持するために図形標識を如何に用いるかについて説明する。 
【００８１】 
図形微細単位の組み合わせ１００は、順次配置された多数の図形標識から成る。各図形標識は、図形微細単位をそれぞれ選択的に記憶するための多数の状態領域を含み、ここで、状態領域は各々、少なくとも２つの候補状態から１つの状態を表示する。 
【００８２】 
例えば、図１の図形標識の１つを拡大したものを図２に示す。
図形標識１１には、状態領域１１３が６×６マトリックスの形式で３６単位含まれる。各状態領域１１３は、第１又は第２状態を表すために、選択的に１つの図形微細単位を含んだり、その図形微細単位を含まなかったりする。
【００８３】 
第１状態の状態領域１１３における微細単位が、“１”の値を割当てられ、また、第２状態の状態領域１１３における微細単位が、“０”の値を割当てられる場合、図３に示すビットマトリックス形式１１４が生じる。
【００８４】 
更に、多数の図形標識並びに図形微細単位は、２次元マトリックス形式で配置される。図形標識や図形微細単位のこのような配置は、人間の目には均質に見える。次に、本発明は、このマトリックス形式の図形標識から個々の図形標識を取り出すための方法を提供する。 
【００８５】 
縮尺が１００：１の図２に示すように、図形標識１１には、異なる標識情報に対応するレイアウトで配置されたヘッダ情報１１１とコンテンツ情報１１２が含まれる。
しかしながら、包含的な設計に対しては、各図形標識内の各ヘッダ情報が、隣接の図形標識から対応の図形標識を識別して、光学装置へ該対応の図形標識の配向を指し示すことができる限りにおいて、一組以上のヘッダ情報が用いられ得る。
３．３．３．２．　甲第６号証に記載された技術 
（１）甲第６号証には、複数の状態領域で構成されるヘッダ情報と、複数の状態領域で構成されるコンテンツ情報からなる図形標識が記載されている。図形標識は、段落００８２及び図２に記載されるように状態領域が６×６マトリックス形式に配列されたものである。ここで、段落０００６に記載のように、図形標識は、図やテキスト等の主要情報と共存して追加情報を取得可能とするものである。 
  
（２）段落００７９〜００８２及び図２に記載されるように、各状態領域では、図形微細単位（丸いスポットの形状）が含まれたり、含まれなかったりしている。そして、この含まれたり、含まれなかったりする２つの状態によって、コンテンツ情報の状態領域では、１ビットの情報（１、０）を表わし、また、ヘッダ情報の各状態領域では、２つの情報の組み合わせによって図形標識を識別している。 
  
　以上より、甲第６号証には、次の技術（以下、「甲６技術」という。）が記載されていると認められる。 
  
（甲６技術） 
　６×６マトリックス形式に配列された複数の状態領域と、 
　丸いスポットの形状の図形微細単位と、を含み、 
　コンテンツ情報の状態領域に図形微細単位が含まれるか含まれないかにより１ビットの情報を表わし、 
　ヘッダ情報の各状態領域に図形微細単位が含まれるか含まれないかの組み合わせにより、図形標識を識別する、 
　図形標識。 
  
３．３．４　甲第７号証 
３．３．４．１　甲第７号証に記載された事項 
　甲第７号証（国際公開第２００４／０８４１２５号）には、「ドットパターンを用いた情報入出力方法」（発明の名称）に関し、図面とともに以下の事項が記載されている。なお、説明のために、下線を当審において付与した。 
  
「発明の開示 
　本発明によれば、印刷物等の媒体面に、複数の格子ドット（４）を矩形状に配置してブロックとし、該ブロックを規則的かつ連続的に配置し、該ブロック内にある１個の格子ドット（４）を一定方向にずらして配置したドットをキードット（２）とし、前記キードット（２）を代表点にして、該キードット（２）の周辺に配置すると共に、４点の格子ドット（４）で囲まれた中心を仮想点にして、これを始点としてベクトルにより表現した終点に、種々の情報を認識させる情報ドット（３）を、ドットコード生成アルゴリズムにより所定の規則に則って複数配列してドットパターン（１）を生成し、前記ドットパターン（１）を構成するブロックをカメラにより画像データとして取り込み、それをデジタル化して求めた数値より情報、プログラムを出力させる、ことを特徴とするドットパターンを用いた情報入出力方法が提供される。 
　前記カメラで、前記ドットパターン（１）のキードット（２）の方向を認識し、その方向を基準にベクトルの終点に配置されたドットを情報ドット（３）とする。前記情報ドット（３）を、前記格子ドット（４）の仮想点を中心に複数表示する、ことができる。 
　上記構成の情報プログラム出力方法では、情報出力装置、パソコン、ＰＤＡ又は携帯電話等を用いて、印刷物等の媒体に形成したドットパターン（１）をカメラにより画像データとして取り込む。このカメラが、これらのドットパターン（１）における所定の規則に則って印刷されたドットを認識し、それをデジタル化し、求めた数値より、情報及びプログラムを出力させる。
　特に、ドットパターン（１）をカメラによりその画像データとして取り込み、
先ず格子ドット（４）を認識してキードット（２）を抽出し、キードット（２）で方向性を認識し、その方向をパラメータとして使用することができる。次に、このキードット（２）の周囲に配置した情報ドット（３）を抽出することにより、迅速に情報及びプログラムを出力させることができる。
  
「本発明のドットパターン１の生成は、ドットパターンコード生成アルゴリズムにより、音声等の情報を認識させるために微細なドット、即ち、キードット２、情報ドット３、格子ドット４を所定の規則に則って配列する。
図１に示すように、情報を表すドットパターン１のブロックは、キードット２を中心に５×５の格子ドット４を配置し、４点の格子ドット４に囲まれた中心の仮想点の周囲に情報ドット３を配置する。
 　　　（図１） 
３．３．４．２　甲第７号証に記載された技術
　甲第７号証には、５×５の格子ドット、その格子の中心に配置される１つのキードット、及び、４つの格子ドットに囲まれた中心の仮想点の周囲に配置されることで情報を示す情報ドットからなる、ドットパターンが記載されている。 
　ここで、各ドットは図１に示されるように、丸いスポットの形状である。 
　また、５×５の格子ドットを認識してキードットを抽出することでキードットの方向性を認識し、情報ドットを抽出するようにしている。 
　以上より、甲第７号証には、次の技術（以下、「甲７技術」という。）が記載されていると認められる。 
  
（甲７技術） 
　５×５の格子ドット、その格子の中心に配置される１つのキードット、及び、情報ドットからなり、 
　各ドットは丸いスポットの形状であり、 
　情報ドットは、４つの格子ドットに囲まれた中心の仮想点の周囲に配置されることで情報を示し、 
　格子ドット及びキードットは、５×５の格子ドットを認識してキードットを抽出することでキードットの方向性を認識して情報ドットを抽出するために用いられる、 
　ドットパターン。
３．３．５　甲８号証
３．３．５．１　甲第８号証に記載された事項 
　甲第８号証（特開平１０−２６１０５８号公報）には、「２次元データコード」（発明の名称）に関し、図面とともに以下の事項が記載されている。なお、説明のために、下線を当審において付与した。 
  
【００１６】図１は、本実施例の２次元データコードを構成する基本コード１を示す図であり、
基本コード１は、仮想の枠線である破線（実際にはない）で囲まれ縦横方向に２×２配列の４つの方形枠（セル）１１〜１４と、それらセル１１〜１４各々の中に１つの破線の丸枠（実際にはない）で示されるデータ印字用丸部２とからなるものである。
これらのセル１１〜１４内の丸部２を塗りつぶさないで白のままのセルを０、塗りつぶして黒にしたものを１として
３．３．５．２　甲第８号証に記載された技術
　甲第８号証には、２×２配列の４つのセルと、セル各々の中に丸枠で示されるデータ印字用丸部とからなる基本コードから構成され、丸部を塗りつぶさないものを０、塗りつぶしたものを１として、コード表記を行う２次元データコードが記載されている。
　以上より、甲第８号証には、次の技術（以下、「甲８技術」という。）が記載されていると認められる。 
  
（甲８技術）
　２×２配列の４つのセルと、
　セル各々の中に丸枠で示されるデータ印字用丸部とからなる基本コードから構成され、
　丸部を塗りつぶさないものを０、塗りつぶしたものを１として、コード表記を行う
　２次元データコード。
３．３．６　甲９号証
３．３．６．１　甲第９号証に記載された事項 
　甲第９号証（特開平１０−２５７３０９号公報）には、「ＩＤカード作成方法及び作成装置」（発明の名称）に関し、図面とともに以下の事項が記載されている。なお、説明のために、下線を当審において付与した。 
【００４９】図２は本発明に係る
画像データへの異種情報の重畳方法
論理値”０”＝ｘ−ａ                ……（４）
論理値”１”＝ｘ＋ａ                ……（５）
ａ：規定されたシフト量
ただし、ａの値は、隣接する画素間隔の１／２未満
のようになり、
画素位置データを１つの画素に割り当てられた寸法（ピクセル）内でシフトするように規定する
【００５０】図２（ａ）に示すように、シフト規則としては、ｘ方向のみ以外に、ｙ方向のみ、ｘ方向とｙ方向双方の組み合わせも可能である。また、シフト方向と論理値対応を逆転させても良く、多数のシフト規則が存在する。
【００５１】これらのシフト規則の中から一組のシフト状態を選定して、画像データを画素位置データのシフトによって変調する。この時、異種情報が重畳されていない画素は、図２（ａ）左端に示すように、原画像から生成された画素位置データ（ｘ、ｙ）の値を維持する。
３．３．６．２　甲第９号証に記載された技術
　甲第９号証には、画素がピクセル内でシフトするように規定され、図２から明らかなように、画素は、ピクセルを塗りつぶさないように配置されている画像データへ重畳される異種情報が記載されている。
　以上より、甲第９号証には、次の技術（以下、「甲９技術」という。）が記載されていると認められる。 
  
（甲９技術）
　画素がピクセル内でシフトするように規定され、ピクセルを塗りつぶさないように配置されている画像データへ重畳される異種情報。
３．３．７　甲１０号証
３．３．７．１　甲第１０号証に記載された事項
　甲第１０号証（ワークスコーポレーション　エデュケーション編集部、「ＤＴＰ＆印刷しくみ事典」）の１６９ページには、図面とともに以下の事項が記載されている。なお、説明のために、下線を当審において付与した。 
「階調は網点の大小で再現する
　一部のプリンタや印刷方法を除いては、写真画像などの階調や色はそのままでは表現できない。そこで考え出されたのが階調を網点に置き換える方法だ。
　網点再現することによってオフセット印刷のようにインキ自体の濃淡で階調を表現することができないのも、
網点の面積比で濃淡を出すことができる
　網点自体の濃度は一定でも、面積比を0〜100％で変化させることで階調を表現する。」
「解像度と網点の関係
　1インチに網点が何個入るかによって網点の細かさ（大小とは異なる、網点の中心が何個入るか）を表す単位、スクリーン線数（lpi:lines per inch）が決まってくる。網点の品質を決めるのは出力解像度で、理論的には1個の網点を縦16ドット横16ドットの256階調で表す。画像データの場合、網点1個を複数の画素（ピクセル）で作る。一般的には出力線数に拡大・縮小率をかけて2倍にするといわれる。65線の場合では原寸で130dpiになるが、250dpiのほうが当然品質はよくなる。実際は、最終倍率で画像解像度250dpi程度をキープすれば実用上は問題ない。」
「
網点は複数のピクセルで作る
　最適な大きさ・形状の網点を再現するためには、１つの網点に４つ程度のピクセルが必要になる。これを線数という２次元の単位で考えると、「画像は線数の２倍の解像度が必要」となる」
３．３．７．２　甲第１０号証に記載された技術
　甲第１０号証には、複数のピクセルで作られた網点の面積比で濃淡を出すことによる階調表現について記載されている。
　以上より、甲第１０号証には、次の技術（以下、「甲１０技術」という。）が記載されていると認められる。
（甲１０技術）
　複数のピクセルで作られた網点の面積比で濃淡を出すことによる階調表現。
３．３．８　甲１１号証
３．３．８．１　甲第１１号証に記載された事項
　甲第１１号証（富士写真フイルム株式会社　印刷システム部、「誰でもわかる「新・印刷のできるまで」」）の１３６ページには、図面とともに以下の事項が記載されている。なお、説明のために、下線を当審において付与した。
「
ＦＭスクリーン印刷
一般的なカラー製版・印刷に使用されている網点スクリーンは、スクリーンの単位に応じて、網点が等間隔に配置されており、配置された網点の大小によって画像の濃淡を表しています。このため「Amplitude Modulation（振幅変調）スクリーン」と呼称される場合があります。これに対して、Frequency Modulation（周波数変調）スクリーンは、スクリーン線数という概念は存在しません。つまりＡＭスクリーンのような網点配列の規則性はなく、
一定サイズの微小ドットが擬似ランダムに配置され、その密度によって画像の濃淡を表現します。
　ＦＭスクリーンは、ドット配置が不規則なことから「ランダムスクリーン」、あるいは「ストキャスティックスクリーニング（推計学的）」とも呼ばれます（図8−13）。」
３．３．８．２　甲第１１号証に記載された技術
　甲第１１号証には、一定サイズの微小ドットが擬似ランダムに配置され、その密度によって画像の濃淡を表現するＦＭスクリーン印刷について記載されている。
　以上より、甲第１１号証には、次の技術（以下、「甲１１技術」という。）が記載されていると認められる。
（甲１１技術）
　一定サイズの微小ドットが擬似ランダムに配置され、その密度によって画像の濃淡を表現するＦＭスクリーン印刷。
３．４　判断
３．４．１　取消理由通知に記載した取消理由について
３．４．１．１　特許法第２９条第２項について
３．４．１．１．１　本件訂正発明１について
３．４．１．１．１．１　対比
　本件訂正発明１と甲４発明１とを対比する。 
（ａ）本件訂正発明１の構成１Ａ−１と甲４発明１の構成１ａ−１との対比
　甲４発明１の「スクリーンコード」は、明らかに本件訂正発明１の「バーチャルブロック」に相当する。 
　甲４発明１のスクリーンコードは、「５行５列に配置」されており、これは、本件訂正発明１の「マトリックスに排列」されていることに相当する。 
　甲４発明１のスクリーンコードは、網点ドットが配置可能な３×３の領域に複数の位置を有しており、これらの「位置」は、本件訂正発明１における各「エリア」に相当する。 
　甲４発明１の網点ドットが配置可能な３×３の領域のうち、「中央行の一字型の位置」のそれぞれの位置は、スクリーンコードが垂直基準ドット行または水平基準ドット列にある場合に、構成１ｄにあるように、垂直基準ドット行及び水平基準ドット列以外にある各スクリーンコードを認識するために用いられる網点ドットが配置される位置であるから、本件訂正発明１の「ラベルエリア」に相当する。
　
　甲４発明１の「中央行の一字型の位置」と、本件訂正発明１の「十字型に排列された複数のラベルエリアを一部とする中央ラベル部」は、「所定の並びに排列された複数のラベルエリアを有する中央ラベル部」という点で共通する。
　
　しかしながら、当該「中央ラベル部」は、本件訂正発明１では「十字型に排列された複数のラベルエリアを一部とする」ものであるのに対して、甲４発明１では、「中央行の一字型の位置」である点で相違する。 
  
　甲４発明１の網点ドットが配置可能な３×３の領域のうち、「四隅の位置」のそれぞれの位置は、スクリーンコードが垂直基準ドット行及び水平基準ドット列以外にある場合に、構成１ｃにあるように、２ビットの情報を表す網点ドットが配置される位置であるから、本件訂正発明１の「データエリア」に相当し、甲４発明１の「四隅の位置」は、本件訂正発明１の「コーナービットエリア」に相当する。そして、上記の「四隅の位置」に網点ドットが配置されるときに、四隅の位置に応じた２ビットの情報を表していることは、本件訂正発明１の「それぞれが１つの候補２進コードを表す」ことに相当する。
　したがって、本件訂正発明１の構成１Ａ−１と甲４発明１の構成１ａ−１とは、「それぞれが、所定の並びに排列された複数のラベルエリアを有する中央ラベル部と、それぞれが１つの候補２進コードを表す複数のデータエリアであるコーナービットエリアと、を備え、マトリックスに排列された複数のバーチャルブロック」である点で共通し、「中央ラベル部」に関して、本件訂正発明１では、「十字型に排列された複数のラベルエリアを一部とする」ものであるのに対し、甲４発明１では、「中央行の一字型の位置」である点で相違する。 
  
（ｂ）本件訂正発明１の構成１Ａ−２と甲４発明１の構成１ａ−２との対比
　上記（ａ）において検討したとおり、甲４発明１の「スクリーンコード」、「５行５列」は、それぞれ、本件訂正発明１の「バーチャルブロック」、「マトリックス」に相当する。 
　甲４発明１の「水平方向又は垂直方向に連続する」は、明らかに本件訂正発明１の「行方向又は列方向に連続する」に相当する。 
　甲４発明１の「２つの四隅の位置間、２つの中央行の一字型の位置間は隣接しない」ことに関して、本件訂正発明１の「２つの前記コーナービットエリア間は隣接し、２つの前記中央ラベル部間は隣接しない」こととは、上記（ａ）で検討したように、甲４発明１の「中央行の一字型の位置」と、本件訂正発明１の「十字型に排列された複数のラベルエリアを一部とする中央ラベル部」は、「所定の並びに排列された複数のラベルエリアを有する中央ラベル部」という点で共通することから、「２つの前記中央ラベル部間は隣接しない」点で共通する。
　しかしながら、甲４発明１は、「２つの四隅の位置間は隣接しない」のに対し、本件訂正発明１は、「２つの前記コーナービットエリア間は隣接」する点で相違する。
　したがって、本件訂正発明１の構成１Ａ−２と甲４発明１の構成１ａ−２とは、「前記マトリックスにおいて行方向又は列方向に連続する２つの前記バーチャルブロックにおいて、２つの前記中央ラベル部間は隣接しない、複数のバーチャルブロック」である点で共通するものの、コーナービットエリア間に関して、本件訂正発明１では隣接するのに対し、甲４発明１では、隣接していない点で相違する。 
  
（ｃ）本件訂正発明１の構成１Ｂと甲４発明１の構成１ｂとの対比 
　上記（ａ）において検討したとおり、甲４発明１の「スクリーンコード」は、本件訂正発明１の「バーチャルブロック」に相当する。
　また、甲４発明１の「中央行の一字型の位置」のそれぞれの位置は、本件訂正発明１の「ラベルエリア」に相当し、甲４発明１の「四隅の位置」のそれぞれの位置は、本件訂正発明１の「データエリア」に相当するから、甲４発明１の「中央行の一字型の位置」は、本件訂正発明１の「複数のラベルエリア」に相当し、甲４発明１の「四隅の位置」は、本件訂正発明１の「複数のデータエリア」に相当する。
　甲４発明１の「配置」は、明らかに、本件訂正発明１の「設置」に相当する。 
　甲４発明１の「網点ドット」は、ドットであるから、本件訂正発明１の「ビットドット」に相当する。 
  
　したがって、本件訂正発明１の構成１Ｂと甲４発明１の構成１ｂとは、「前記複数のバーチャルブロックのそれぞれごとに、前記複数のラベルエリア及び前記複数のデータエリアのうちの１つに設置されたビットドットと、を含み、」である点で共通し、「ビットドット」に関し、本件訂正発明１では、「これらのエリアを塗りつぶさないように」設置されたものであるのに対し、甲４発明１では、「これらの位置を塗りつぶさないように」設置されたものであることに限定されていない点で相違する。
  
（ｄ）本件訂正発明１の構成１Ｃと甲４発明１の構成１ｃとの対比 
　上記（ａ）及び（ｃ）で検討したことを踏まえれば、甲４発明１の「スクリーンコードが垂直基準ドット行及び水平基準ドット列以外にある場合の四隅の位置のいずれかに配置された網点ドット」は、本件訂正発明１の「前記データエリアに設置された前記ビットドット」に相当する。
　また、甲４発明１の「四隅の位置に応じた２ビットの情報に基づいて、各スクリーンコードが表す２ビットの情報を表」すことは、本件訂正発明１の「前記各データエリアに対応する候補２進コードに基づいて、前記各バーチャルブロックが表す２進コードを定義」することに相当する。 
  
　したがって、本件訂正発明１の構成１Ｃと甲４発明１の構成１ｃは一致する。 
  
（ｅ）本件訂正発明１の構成１Ｄと甲４発明１の構成１ｄとの対比 
　上記（ａ）及び（ｃ）で検討したことを踏まえれば、甲４発明１の「スクリーンコードが垂直基準ドット行または水平基準ドット列にある場合の中央行の一字型の位置のいずれかに配置された網点ドット」は、本件訂正発明１の「それぞれ予め定められた位置の前記バーチャルブロックの前記ラベルエリアに位置」する「少なくとも２つの前記ビットドット」に相当する。 
　そして、甲４発明１の上記の「網点ドット」は、「垂直基準ドット行及び水平基準ドット列以外にある各スクリーンコード」を固定したパターンとして認識し、それらのスクリーンコードの２ビットの情報を認識するために用いられているから、本件訂正発明１と同様に「パターンを固定するラベルを構成するために用いられ」ているといえる。 
  
　したがって、本件訂正発明１の構成１Ｄと甲４発明１の構成１ｄは、一致する。 
 　 
（ｆ）本件訂正発明１の構成１Ｅと甲４発明１の構成１ｅとの対比 
　甲４発明１の「３２ビットの情報」は、各スクリーンコードが示す２ビットの情報を組み合わせた情報、すなわちデータであるので、本件訂正発明１の「インジケータデータ」に相当する。また甲４発明１の「画像パターン群」は、明らかに本件訂正発明１の「ドットコード」に相当する。 
  
　したがって、本件訂正発明１の構成１Ｅと甲４発明１の構成１ｅは一致する。 
 　 
（ｇ）まとめ 
　上記（ａ）〜（ｆ）のとおりであるから、本件訂正発明１と甲４発明１は、以下の点で一致ないし相違する。 
  
＜一致点＞ 
　それぞれが、所定の並びに排列された複数のラベルエリアを有する中央ラベル部と、それぞれが１つの候補２進コードを表す複数のデータエリアであるコーナービットエリアと、を備え、マトリックスに排列された複数のバーチャルブロックであって、 
　前記マトリックスにおいて行方向又は列方向に連続する２つの前記バーチャルブロックにおいて、２つの前記中央ラベル部間は隣接しない、
　複数のバーチャルブロックと、 
　前記複数のバーチャルブロックのそれぞれごとに、前記複数のラベルエリア及び前記複数のデータエリアのうちの１つに設置されたビットドットと、を含み、 
　前記データエリアに設置された前記ビットドットが、前記各データエリアに対応する前記候補２進コードに基づいて、前記各バーチャルブロックが表す２進コードを定義し、 
　少なくとも２つの前記ビットドットが、それぞれ予め定められた位置の前記バーチャルブロックの前記ラベルエリアに位置して、パターンを固定するラベルを構成するために用いられる 
　インジケータデータであるドットコード。 
  
 ＜相違点＞ 
（相違点１）
　「中央ラベル部」に関して、本件訂正発明１では、「十字型に排列された複数のラベルエリアを一部とする」ものであるのに対し、甲４発明１では、「中央行の一字型の位置」である点。 
（相違点２）
　２つの「コーナービットエリア間」に関して、本件訂正発明１では、隣接するのに対し、甲４発明１では、隣接しない点。 
（相違点３）
　「ビットドット」に関し、本件訂正発明１では、「これらのエリアを塗りつぶさないように」設置されたものであるのに対し、甲４発明１では、「これらの位置を塗りつぶさないように」設置されたものであることに限定されていない点。 
３．４．１．１．１．２　判断
　まず、相違点２について検討する。
　甲４発明１は、「網点ドットが配置可能な３×３の領域を囲む網点ドットが配置されない領域があるために、２つの四隅の位置間、２つの中央行の一字型の位置間は隣接しない」構成である。
　ここで、「網点ドットが配置可能な３×３の領域を囲む網点ドットが配置されない領域」は、網点ドットが配置されない領域であるから、当該領域を削除し、甲４発明１の「画像パターン群」を「網点ドットが配置可能な３×３の領域」のみとして、「２つの四隅の位置間」を隣接させることは容易に考えつくことである。
　しかし、甲４発明１の「網点ドットが配置可能な３×３の領域を囲む網点ドットが配置されない領域」を削除した場合には、「２つの四隅の位置間」だけでなく、行方向の「中央行の一字型の位置間」についても隣接することとなるから、甲４発明１から本件訂正発明１のような「２つの前記コーナービットエリア間は隣接し、２つの前記中央ラベル部間は隣接しない」という構成を導出することは不可能である。
　よって、相違点２に係る構成とすることは、当業者が容易に想到することのできないものである。
　また、甲５技術〜甲１１技術にも、上記構成は記載ないし示唆もなく、当業者であっても、容易に想到することのできないものである。
　したがって、相違点１、３を検討するまでもなく、本件訂正発明１は、甲４発明１、甲５技術〜甲１１技術に基いて当業者が容易に発明をすることができたとすることはできない。
３．４．１．１．２　本件訂正発明２、４について
　本件訂正発明２及び４は、本件訂正発明１を引用していることから、上記相違点２に係る構成を有している。ここで、相違点２に対する判断は、上記３．４．１．１．１．２で検討したとおりであるから、本件訂正発明２及び本件訂正発明４も、甲４発明１、甲５技術〜甲１１技術に基いて当業者が容易に発明をすることができたとすることはできない。
３．４．１．１．３　本件訂正発明５について
３．４．１．１．３．１　対比
　本件訂正発明５と甲４発明５とを対比する。 
（ａ）本件訂正発明５の構成５Ａ−１、５Ａ−２と甲４発明５の構成５ａ−１との対比 
　甲４発明５の「画像パターン群」は、明らかに本件訂正発明５の「ドットコード」に相当する。そして、当該「画像パターン群」は、「５行５列」という、マトリックスに排列された「複数のスクリーンコードから構成」されており、スクリーンコードの大きさに応じた範囲（エリア）を有している。ここで、エリアから見れば当該エリアは５行５列の２５個のスクリーンコードによって区分されており、当該「スクリーンコード」は本件訂正発明５の「ブロック」に相当する。 
　したがって、本件訂正発明５の構成５Ａ−１及び５Ａ−２と甲４発明５の構成５ａ−１は一致する。 
  
（ｂ）本件訂正発明５の構成５Ａ−３と甲４発明５の構成５ａ−２との対比
　上記（ａ）において検討したとおり、甲４発明５の「スクリーンコード」は、本件訂正発明５の「ブロック」に相当する。 
　甲４発明５の「網点ドットが配置可能な３×３の領域」は、「スクリーンコード」を区分したものといえるので、本件訂正発明５の「ビットエリア」に相当する。
　したがって、本件訂正発明５の構成５Ａ−３と甲４発明５の構成５ａ−２は一致する。 
（ｃ）本件訂正発明５の構成５Ａ−４と甲４発明５の構成５ａ−３との対比
　上記（ｂ）において検討したとおり、甲４発明５の「網点ドットが配置可能な３×３の領域」は、本件訂正発明５の「ビットエリア」に相当する。
　甲４発明５の「網点ドットが配置可能な３×３の領域の中央行の一字型の位置」のそれぞれの位置は、スクリーンコードが垂直基準ドット行または水平基準ドット列にある場合に、構成５ｄにあるように、垂直基準ドット行及び水平基準ドット列以外にある各スクリーンコードの２ビットの情報を認識するために網点ドットが配置される位置であり、本件訂正発明５の「ラベルエリア」に相当する。
　また、甲４発明５の「網点ドットが配置可能な３×３の領域の中央行の一字型の位置」は、「網点ドットが配置可能な３×３の領域」の一部を選択して、「中央行の一字型の位置」としたものである。
　そうすると、甲４発明５の「網点ドットが配置可能な３×３の領域の中央行の一字型の位置」と、本件訂正発明５の「前記ビットエリアの一部を選択して、十字型に排列されたラベルエリアを一部とする中央ラベル部」は、「前記ビットエリアの一部を選択して、所定の並びに排列されたラベルエリアを有する中央ラベル部」という点で共通する。
　しかしながら、当該「中央ラベル部」に関して、本件訂正発明５では、「十字型に排列されたラベルエリアを一部とする」ものであるのに対し、甲４発明５では、「中央行の一字型の位置」である点で相違する。
　甲４発明５の「網点ドットが配置可能な３×３の領域の四隅の位置」のそれぞれの位置は、スクリーンコードが垂直基準ドット行及び水平基準ドット列以外にある場合に、構成５ｃにあるように、四隅の位置に応じた２ビットの情報を表す網点ドットが配置される位置であるから、本件訂正発明５の「データエリア」に相当し、その「四隅の位置」は、「コーナービットエリア」に相当する。
　また、甲４発明５の「四隅の位置」は、「網点ドットが配置可能な３×３の領域」のうちの四隅であるから、甲４発明５の「網点ドットが配置可能な３×３の領域の四隅の位置」と、本件訂正発明５の「その他部分のビットエリアを、データエリアであるコーナービットエリア」は、「所定の部分のビットエリアを、データエリアであるコーナービットエリア」とする点で共通する。
　しかしながら、当該「コーナービットエリア」は、本件訂正発明５では「（中央ラベル部以外の）その他部分のビットエリア」であるの対し、甲４発明５では、「網点ドットが配置可能な３×３の領域の四隅の位置（中央ラベル部以外の部分のうちの一部のビットエリア）」である点で相違する。
　したがって、本件訂正発明５の構成５Ａ−４と甲４発明５の構成５ａ−３は、「前記ビットエリアの一部を選択して、所定の並びに排列されたラベルエリアを有する中央ラベル部とし、所定の部分のビットエリアを、データエリアであるコーナービットエリアとし、」の点で共通し、当該「中央ラベル部」に関して、本件訂正発明５では、「十字型に排列された複数のラベルエリアを一部とする」のに対し、甲４発明５では、「中央行の一字型の位置」である点、当該「コーナービットエリア」に関して、本件訂正発明５では「（中央ラベル部以外の）その他部分のビットエリア」であるのに対し、甲４発明５では、「網点ドットが配置可能な３×３の領域の四隅の位置（中央ラベル部以外の部分のうちの一部のビットエリア）」である点で相違する。 
  
（ｄ）本件訂正発明５の構成５Ｂと甲４発明５の構成５ｂとの対比 
　上記（ｃ）において検討したとおり、甲４発明５の「中央行の一字型の位置」のそれぞれの位置は、本件訂正発明５の「ラベルエリア」に相当し、甲４発明５の「四隅の位置」のそれぞれの位置は、本件訂正発明５の「データエリア」に相当する。 
 　甲４発明５の「配置」は、明らかに、本件訂正発明５の「設置」に相当する。 
 　甲４発明５の「網点ドット」は、ドットであるから、本件訂正発明５の「ビットドット」に相当する。 
  
 　したがって、本件訂正発明５の構成５Ｂと甲４発明５の構成５ｂとは、「前記ラベルエリア及び前記データエリアのうちの一つにビットドットを設置し、」である点で共通し、「ビットドット」に関し、本件訂正発明５では、「これらのエリアを塗りつぶさないように」設置されるものであるのに対し、甲４発明５では、「これらの位置を塗りつぶすように」設置されたものであることに限定されていない点で相違する。 
  
（ｅ）本件訂正発明５の構成５Ｃと甲４発明５の構成５ｃとの対比 
　上記（ｃ）及び（ｄ）で検討したことを踏まえれば、甲４発明５の「スクリーンコードが垂直基準ドット行及び水平基準ドット列以外にある場合の四隅の位置のいずれかの位置に配置される網点ドット」は、本件訂正発明５の「前記データエリアに位置するビットドット」に相当する。 
　また、甲４発明５の「四隅の位置に応じた２ビットの情報に基づいて、各スクリーンコードが表す２ビットの情報を表」すことは、本件訂正発明５の「各データエリアに対応する候補２進コードに基づいて、前記ブロックが表す２進コードを定義」することに相当する。 
  
　したがって、本件訂正発明５の構成５Ｃと甲４発明５の構成５ｃは一致する。 
  
（ｆ）本件訂正発明５の構成５Ｄと甲４発明５の構成５ｄとの対比 
　上記（ｃ）及び（ｄ）で検討したことを踏まえれば、甲４発明５の「スクリーンコードが垂直基準ドット行または水平基準ドット列にある場合の中央行の一字型の位置のいずれかに配置される網点ドット」は、本件訂正発明５の「それぞれ予め定められた位置の前記ブロックの前記ラベルエリアに位置」する「少なくとも２つの前記ビットドット」に相当する。 
　そして、甲４発明５の上記の「網点ドット」は、「垂直基準ドット行及び水平基準ドット列以外にある各スクリーンコード」を固定したパターンとして認識し、それらのスクリーンコードの２ビットの情報を認識しているから、本件訂正発明５と同様に「パターンを固定するラベルを構成」しているといえる。 
  
　したがって、本件訂正発明５の構成５Ｄと甲４発明５の構成５ｄは一致する。 
  
（ｇ）本件訂正発明５の構成５Ｅと甲４発明５の構成５ｅとの対比 
　上記（ａ）にて検討したとおり、甲４発明５の「画像パターン群」は、本件訂正発明５の「ドットコード」に相当する。 
　甲４発明５では、画像パターン群を順番に並べ地紋画像情報を構成しており、「順番に並べ」ることは、本件訂正発明５の「所定パターン排列に基づいて」、「重複的に排列」していることに相当する。 
  
　したがって、本件訂正発明５の構成５Ｅと甲４発明５の構成５ｅは一致する。 
  
（ｈ）本件訂正発明５の構成５Ｆと甲４発明５の構成５ｆとの対比 
　上記（ａ）にて検討したとおり、甲４発明５の「５行５列」、「スクリーンコード」は、それぞれ、本件訂正発明５の「マトリックス」、「ブロック」に相当する。 
　甲４発明５の「水平方向又は垂直方向に連続する」は、明らかに本件訂正発明５の「行方向又は列方向に連続する」に相当する。
　甲４発明５の「２つの四隅の位置間、２つの中央行の一字型の位置間は隣接しない」ことに関して、本件訂正発明５の「２つの前記コーナービットエリア間は隣接し、２つの前記中央ラベル部間は隣接しない」こととは、上記（ｃ）で検討したように、甲４発明５の「中央行の一字型の位置」と、本件訂正発明５の「十字型に排列された複数のラベルエリアを一部とする中央ラベル部」は、「所定の並びに排列された複数のラベルエリアを有する中央ラベル部」という点で共通することから、「２つの前記中央ラベル部間は隣接しない」点で共通する。
　しかしながら、甲４発明５は、「２つの四隅の位置間は隣接しない」のに対し、本件訂正発明５は、「２つの前記コーナービットエリア間は隣接」する点で相違する。
　したがって、本件訂正発明５の構成５Ｆと甲４発明５の構成５ｆとは、「前記マトリックスにおいて行方向又は列方向に連続する２つの前記ブロックにおいて、２つの前記中央ラベル部間は隣接しない、」点で共通し、本件訂正発明５では「２つの前記コーナービットエリア間は隣接」するのに対し、甲４発明５では「２つの四隅の位置間は隣接しない」点で相違する。 
  
（ｉ）本件訂正発明５の構成５Ｇと甲４発明５の構成５ｇとの対比 
　上記（ａ）にて検討したとおり、本件訂正発明５の「ドットコード」は甲４発明５の「画像パターン群」に相当する。 
  
　したがって、本件訂正発明５の構成５Ｇと甲４発明５の構成５ｇは一致する。 
  
（ｊ）まとめ 
　上記（ａ）〜（ｉ）のとおりであるから、本件訂正発明５と甲４発明５は、以下の点で一致ないし相違する。 
  
＜一致点＞ 
　ドットコードを生成するエリアを定義し、 
　前記エリアを、マトリックスに排列された複数のブロックに区分し、 
　それぞれの前記ブロックを複数のビットエリアに区分し、 
　前記ビットエリアの一部を選択して、所定の並びに排列されたラベルエリアを有する中央ラベル部とし、所定の部分のビットエリアを、データエリアであるコーナービットエリアとし、
　前記ラベルエリア及び前記データエリアのうちの一つにビットドットを設置し、 
　前記データエリアに位置するビットドットが、前記各データエリアに対応する候補２進コードに基づいて、前記ブロックが表す２進コードを定義し、
　少なくとも２つの前記ビットドットが、それぞれ予め定められた位置の前記ブロックの前記ラベルエリアに位置して、パターンを固定するラベルを構成し、 
　所定パターン排列に基づいて、前記ビットドットを有する前記ドットコードの生成エリアを重複的に排列したドットコード生成方法において、 
　前記マトリックスにおいて行方向又は列方向に連続する２つの前記ブロックにおいて、２つの前記中央ラベル部間は隣接しない、
　ドットコード生成方法。 
  
＜相違点＞ 
（相違点１）
　「中央ラベル部」に関して、本件訂正発明５では、「十字型に排列された複数のラベルエリアを一部とする」ものであるのに対し、甲４発明５では、「中央行の一字型の位置」であり、「コーナービットエリア」に関して、本件訂正発明５では「（中央ラベル部以外の）その他部分のビットエリア」であるのに対し、甲４発明５では、「網点ドットが配置可能な３×３の領域の四隅の位置（中央ラベル部以外の部分のうちの一部のビットエリア）」である点。 
（相違点２）
　「ビットドット」に関して、本件訂正発明５では、「これらのエリアを塗りつぶさないように」設置されるものであるのに対し、甲４発明５では、「これらの位置を塗りつぶさないように」設置されるものであることに限定されていない点。
（相違点３）
　２つの「コーナービットエリア間」に関して、本件訂正発明５では、隣接するのに対し、甲４発明５では、隣接しない点。 
３．４．１．１．３．２　判断
　相違点３についての検討は、上記３．４．１．１．１．２と同様であり、相違点１、２を検討するまでもなく、本件訂正発明５は、甲４発明５、甲５技術〜甲１１技術に基いて当業者が容易に発明をすることができたとすることはできない。
３．４．１．１．４　本件訂正発明６、８、９について
　本件訂正発明６、８、９は、本件訂正発明５を引用していることから、上記相違点３に係る構成を有している。ここで、相違点３に対する判断は、上述したとおりであるから、本件訂正発明６、本件訂正発明８、及び本件訂正発明９も、甲４発明５、甲５技術〜甲１１技術に基いて当業者が容易に発明をすることができたとすることはできない。
３．４．１．１．５　小括
　以上のとおり、本件訂正発明１、２、４〜６、８、９は、甲第４号証に記載された発明、甲５技術〜甲１１技術に基いて当業者が容易に発明をすることができたとすることはできない。
３．４．１．２　特許法第３６条第６項第１号について
　平成２８年６月１７日付けで特許権者に通知した取消理由において、請求項３、７に係る特許発明は、特許請求の範囲の記載が特許法第３６条第６項第１号に規定する要件を満たしていない旨の通知をしたが、当該請求項３、７は、訂正により削除されたので、当該拒絶理由は解消している。
３．４．１．３　特許法第３６条第６項第２号について
３．４．１．３．１　請求項１〜４について
　平成２８年６月１７日付けで特許権者に通知した取消理由において、請求項１〜４に係る特許発明は、特許請求の範囲の記載が特許法第３６条第６項第２号に規定する要件を満たしていない旨の通知をした。
　具体的には、訂正前の請求項１に対して、複数のバーチャルブロックが備える「複数のラベルエリア」と「複数のデータエリア」のうちの「１つ」にビットドットを有するとしていることから、ビットドットを有さないバーチャルブロックを許容する記載となり、明細書又は図面の記載（各バーチャルブロックのラベルエリア又はデータエリアに必ずビットドットが存在する構成）と整合しないものとなり、不明確な記載となっている旨の通知をしたものである。
　しかし、請求項１は、本件訂正請求による訂正により、「前記複数のバーチャルブロックのそれぞれごとに、前記複数のラベルエリア及び前記複数のデータエリアのうちの１つに・・・ビットドットと、を含み、」と訂正され、上記２．３．１．２．２で検討したように、各バーチャルブロックにおける、「複数のラベルエリア及び複数のデータエリアのうち１つ」に必ずビットドットを含む構成であることが明瞭となった。
３．４．１．３．２　請求項５、６、８、９について
　平成２９年８月２４日付けで特許権者に通知した取消理由において、請求項５、６、８、９に係る特許発明は、特許請求の範囲の記載が特許法第３６条第６項第２号に規定する要件を満たしていない旨の通知をした。
　具体的には、平成２９年４月１３日付けで訂正された請求項５に記載された、「その他部分のビットエリア」の技術的な意味が明確でなく、十字型に排列されたラベルエリア以外のビットエリアである「その他部分のビットエリア」の全てがデータエリアであるとも解釈できる記載であり、明細書又は図面の記載（コーナービットエリアは、中央ラベル部以外のビットエリアであり、中央ラベル部の一部がラベルエリアとなっている）と整合しない場合のある不明瞭な記載となっている旨の通知をしたものである。
　しかし、請求項５は、本件訂正請求による訂正により、「前記ビットエリアの一部を選択して、十字型に排列されたラベルエリアを一部とする中央ラベル部とし、その他部分のビットエリアを、データエリアであるコーナービットエリア」と訂正され、コーナービットエリアは、中央ラベル部以外のビットエリアであり、中央ラベル部の一部がラベルエリアとなるので、明細書又は図面の記載と整合する記載となり、明瞭となった。
３．４．２　取消理由通知において採用しなかった特許異議申立理由について
３．４．２．１　特許法第１７条の２第３項及び特許法第３６条第６項第１号について
　異議申立人は、訂正前の請求項１の「前記複数のラベルエリア及び前記複数のデータエリアのうちの１つにこれらのエリアを塗りつぶさないように設置されたビットドット」及び請求項５の「前記ラベルエリア及び前記データエリアのうちの一つにこれらのエリアを塗りつぶさないようにビットドットを設置」に関して、本件特許の願書に最初に添付した明細書等には、「ラベルエリア及びデータエリアのうちの一つに、これらのエリアを塗りつぶさないようにビットドットを設置する」ことについて、何ら具体的に記載されていないため、平成２７年５月７日付けの手続補正書による本件特許の請求項１及び請求項５に係る補正は、いずれも願書に最初に添付した明細書等に記載された事項の範囲内においてされたものでなく、また、発明の詳細な説明に記載されていない旨の主張をしている。
　しかし、段落００２５の「図４は、本発明の実施形態に係る複数のドットコード１０を排列して形成されたパターンの概略図である。本発明の設計を明確に説明するため、図５に、図４の中の１つのドットコード１０の拡大概略図を示す。」という記載、及び図４、５から、「ラベルエリア及びデータエリアのうちの一つに、これらのエリアを塗りつぶさないようにビットドットを設置する」ことは、明らかであり、当該主張を認めることはできない。
３．４．２．２　特許法第３６条第６項第２号について
３．４．２．２．１　「ラベルエリア」、「データエリア」について
　異議申立人は、「ラベルエリア」「データエリア」は、それぞれ、複数のビットエリアから構成される一つの領域を意味しており、１つのブロックには、「ラベルエリア」「データエリア」は、それぞれ一つのみ存在しているため、請求項１の「複数のラベルエリア」、「複数のデータエリア」は、明細書の記載と矛盾していること、請求項５は、「ビットエリア」「データエリア」が一つのみである記載と複数存在している記載とが混在していることを主張している。
　しかし、明細書の段落００５６の「図に示すように、バーチャルブロックの中央ラベル部は、さらに複数のラベルエリアＣＬ-１〜ＣＬ-９に区分されるため、中央ラベル部に設置されるビットドットｄは、ラベルエリアＣＬ-１〜ＣＬ-９の中の１つに選択的に配置されてもよい。そのうち、ラベルエリアＣＬ-２、ＣＬ-４、ＣＬ-５、ＣＬ-６、ＣＬ-８は、十字形に排列され、ビットドットｄは、さらにラベルエリアＣＬ-２、ＣＬ-４、ＣＬ-５、ＣＬ-６、ＣＬ-８の中の１つに選択的に配置されてもよい。」、段落００５１の「コーナービットエリアＣＢ-１〜ＣＢ-４は、それぞれ１つの候補２進コードを表し、図１４Ｂに示すように、コーナービットエリアＣＢ-１は、候補２進コード００を表し、コーナービットエリアＣＢ-２は、候補２進コード０１を表し、コーナービットエリアＣＢ-３は、候補２進コード１０を表し、コーナービットエリアＣＢ-４は、候補２進コード１１を表す。」との記載から、「ラベルエリア」は、ＣＬ-１〜ＣＬ-９のそれぞれを指し、「データエリア」は、ＣＢ-１〜ＣＢ-４のそれぞれを指すものであるから、「ラベルエリア」「データエリア」は、それぞれ、複数のビットエリアから構成される一つの領域を意味するという異議申立人の主張を認めることはできず、請求項１の「複数のラベルエリア」、「複数のデータエリア」は、明細書の記載と矛盾しておらず、請求項５は明瞭な記載であり、当該主張を認めることはできない。
３．４．２．２．２　「ビットドット」について
　異議申立人は、請求項１の「前記複数のラベルエリア及び前記複数のデータエリアのうちの１つにこれらのエリアを塗りつぶさないように設置されたビットドット」及び請求項５の「前記ラベルエリア及び前記データエリアのうちの一つにこれらのエリアを塗りつぶさないようにビットドットを設置」に関して、ビットドットをエリア内のどこにどのように設けるのか理解することができない旨の主張をしている。
　しかし、本件特許発明は、ビットドットをエリアを塗りつぶさないように設置することに限定されているだけであり、段落００３０において、「図７に示すように、４つのドットポイントＡは、第１ビットドットが配置可能な４つの位置を表し、本実施形態において配置可能な４つの位置は、それぞれ第１データエリアの４つのビットエリア１１２ａ、１１２ｃ、１１２ｇ、１１２ｉのコーナー部分であるが、本発明はこれに限定されず、例えば、中央部分（図９のデータ部１００に示す）に配置されてもよい。」と記載されているように、ビットドットをどこにどのように設けるかについては、本件明細書では特定するものではないので、当該主張を認めることはできない。
４　むすび
　したがって、請求項１、２、４、５、６、８、９に係る特許は、取消理由通知に記載した取消理由及び特許異議申立書に記載された特許異議申立理由によっては、取り消すことができない。
　また、他に請求項１、２、４、５、６、８、９に係る特許を取り消すべき理由を発見しない。
　さらに、請求項３、７に係る特許は、訂正により、削除されたため、本件特許の請求項３、７に対して、特許異議申立人がした特許異議の申立てについては、対象となる請求項が存在しない。
　よって、結論のとおり決定する。
【異議決定日】
平成３０年１月２６日（２０１８．１．２６）
【訂正の要旨】
審決（決定）の【理由】欄参照。
（５７）【特許請求の範囲】
　【請求項１】
　それぞれが、十字型に排列された複数のラベルエリア
を一部とする中央ラベル部
、
が
であるコーナービットエリア
、
であって、
　前記マトリックスにおいて行方向又は列方向に連続する２つの前記バーチャルブロックにおいて、２つの前記コーナービットエリア間は隣接し、２つの前記中央ラベル部間は隣接しない、
　複数のバーチャルブロック
　
前記複数のバーチャルブロックのそれぞれごとに、
、
　
　少なくとも２つの前記ビットドットが、それぞれ予め定められた位置の前記バーチャルブロックの前記ラベルエリアに位置して、パターンを固定するラベルを構成するために用いられるインジケータデータであるドットコード。
　【請求項２】
　前記ラベルが、Ｌ型となる請求項１記載のインジケータデータであるドットコード。
　【請求項３】
　
（削除）
　【請求項４】
　前記ラベルにより、前記各バーチャルブロックが表す前記２進コードの排列の順序を決定する請求項１記載のインジケータデータであるドットコード。
　【請求項５】
　ドットコードを生成するエリアを定義し、
　前記エリアを
、マトリックスに排列された
　それぞれの前記ブロックを複数のビットエリアに区分し、
　前記ビットエリアの一部を選択して、
十字型に排列された
を一部とする中央ラベル部
、
であるコーナービットエリア
　前記ラベルエリア及び前記データエリアのうちの一つにこれらのエリアを塗りつぶさないようにビットドットを設置し、
　前記データエリアに位置するビットドットが、前記各データエリアに対応する候補２進コードに基づいて、前記ブロックが表す２進コードを定義し、
　少なくとも２つの前記ビットドットが、それぞれ予め定められた位置の前記ブロックの前記ラベルエリアに位置して、パターンを固定するラベルを構成し、
　所定パターン排列に基づいて、前記ビットドットを有する前記ドットコードの生成エリアを重複的に排列したドットコード生成方法
において、
　前記マトリックスにおいて行方向又は列方向に連続する２つの前記ブロックにおいて、２つの前記コーナービットエリア間は隣接し、２つの前記中央ラベル部間は隣接しない、ドットコード生成方法
　【請求項６】
　前記ラベルが、Ｌ型となる請求項５記載のドットコード生成方法。
　【請求項７】
　
（削除）
　【請求項８】
　前記ラベルにより、前記各ブロックが表す前記２進コードの排列の順序を決定する請求項５記載のドットコード生成方法。
　【請求項９】
　前記所定パターン排列がマトリックスである請求項５記載のドットコード生成方法。